(57)【要約】【課題】生産性及び施工性を向上しうる。【解決手段】水平モジュールＭの整数倍の柱間距離Ｄ１で立設された複数本の柱３を含む構造体を有する工業化住宅の床構造である。床構造は、柱３が立設された柱通り６に、水平モジュールＭのｎ倍又は１／ｎ倍（ただし、ｎは１以上の整数）の寸法Ｌ１を有する複数の床パネル５を含む。床パネル５は、柱３との干渉を防ぐ切欠き部８を有する切欠きパネル７を含むことにより、柱３を除く実質的な床面全域Ｔに敷設される。【選択図】図１
2010265650.tif 000002
【特許請求の範囲】
【請求項１】
水平モジュールの整数倍の柱間距離で立設された複数本の柱を含む構造体を有する工業化住宅の床構造であって、
前記柱が立設された柱通りに、前記水平モジュールのｎ倍又は１／ｎ倍（ただし、ｎは１以上の整数）の寸法を有する複数の床パネルを含み、かつ
前記床パネルは、前記柱との干渉を防ぐ切欠き部を有する切欠きパネルを含むことにより、前記柱を除く実質的な床面全域に敷設されることを特徴とする床構造。
【請求項２】
前記切欠きパネルは、前記柱通りの一端側に入隅状の切欠き部を有する第１の切欠きパネルと、前記柱通りの他端側に入隅状の切欠き部を有する第２の切欠きパネルとからなる２種類のみからなる請求項１記載の床構造。
【請求項３】
前記床パネルは、前記切欠き部を有しない切欠き無しパネルを含む請求項１又は２に記載の床構造。
【請求項４】
前記構造体には、柱が異なる柱間距離で立設された柱通りを有するとともに、該柱通りには、最小の柱間距離の１／２倍の前記寸法を有し、しかも前記柱通りの一端側に入隅状の切欠き部を有する第１の切欠きパネルと、前記柱通りの他端側に入隅状の切欠き部を有する第２の切欠きパネルと、切欠き部を有しない切欠き無しパネルとの３種類の床パネルのみが配される請求項１記載の床構造。
【発明の詳細な説明】
【技術分野】
【０００１】
本発明は、生産性及び施工性を向上しうる床構造に関する。
【背景技術】
【０００２】
近年、家屋の床や壁等の構造部分を、予め工場で生産した床パネルや壁パネル等の構成部材を用いて形成し、施工性の向上や品質の安定化などを図った工業化住宅が普及している。
【０００３】
図７（ａ）は、従来の工業化住宅のシングルグリッド設計の１階部分の床構造の一例を示す平面図、図７（ｂ）には、そのＡ−Ａ断面図を示す。前記床構造は、基礎ｇ上の土台や束材等で支持された大引を含む床支持材ａと、該床支持材ａの上に敷設される平面視略矩形状の複数の床パネルｂとを含んで構成される（例えば、下記特許文献１参照）。
【０００４】
また、基礎ｇ上には、予め定められた構造体モジュールｍ（例えば９００mm）の整数倍（この実施形態では１倍）の柱間距離ｅで複数本の柱ｃが立設されている。シングルグリッドで住宅を設計する場合、床パネルｂには、柱ｃとの干渉を防ぐための切欠き部ｄが形成される。これにより、床パネルｂは柱ｃを除いた実質的な床面全域に敷設される。
【先行技術文献】
【特許文献】
【０００５】
【特許文献１】特開２００５−２６４５６２号公報
【発明の概要】
【発明が解決しようとする課題】
【０００６】
しかしながら、従来の床構造では、床パネルｂは、構造体モジュールｍとは互いに関連付けられていない水平モジュールｆ（例えば、５４０mm等）を基準に設計されていた。このため、床パネルｂに形成される切欠き部ｄの位置が、各床パネル毎で異なりやすく、多種類の床パネルｂを製造する必要がある等、生産性が悪いという問題があった。また、切欠き部ｄの施工位置によっては、床パネルｂの強度の低下や、加工精度の低下などを招くおそれもあった。
【０００７】
本発明は、以上のような実状に鑑み案出されたもので、水平モジュールの整数倍の柱間距離で立設された複数本の柱を含む柱通りに、前記水平モジュールのｎ倍又は１／ｎ倍（ただし、ｎは１以上の整数）の寸法を有する複数の床パネルを用いることを基本として、床パネルに形成される前記切欠き部の位置を標準化し、ひいては床パネルの種類数を減らして生産性や施工性を大幅に向上しうる床構造を提供することを主たる目的としている。
【課題を解決するための手段】
【０００８】
本発明のうち請求項１記載の発明は、水平モジュールの整数倍の柱間距離で立設された複数本の柱を含む構造体を有する工業化住宅の床構造であって、前記柱が立設された柱通りに、前記水平モジュールのｎ倍又は１／ｎ倍（ただし、ｎは１以上の整数）の寸法を有する複数の床パネルを含み、かつ前記床パネルは、前記柱との干渉を防ぐ切欠き部を有する切欠きパネルを含むことにより、前記柱を除く実質的な床面全域に敷設されることを特徴とする。
【０００９】
また請求項２記載の発明は、前記切欠きパネルは、前記柱通りの一端側に入隅状の切欠き部を有する第１の切欠きパネルと、前記柱通りの他端側に入隅状の切欠き部を有する第２の切欠きパネルとからなる２種類のみからなる請求項１記載の床構造である。
【００１０】
また請求項３記載の発明は、前記床パネルは、前記切欠き部を有しない切欠き無しパネルを含む請求項１又は２に記載の床構造である。
【００１１】
また請求項４記載の発明は、前記構造体には、柱が異なる柱間距離で立設された柱通りを有するとともに、該柱通りには、最小の柱間距離の１／２倍の前記寸法を有し、しかも前記柱通りの一端側に入隅状の切欠き部を有する第１の切欠きパネルと、前記柱通りの他端側に入隅状の切欠き部を有する第２の切欠きパネルと、切欠き部を有しない切欠き無しパネルとの３種類の床パネルのみが配される請求項１記載の床構造である。
【発明の効果】
【００１２】
本発明の床構造は、床パネルと柱とが、同一の水平モジュールを基準に設計される。従って、床パネルの切欠き部の位置が標準化され、ひいては床パネルの種類数を減らして生産性を向上することができる。また、床パネルの柱通り上における寸法を適切に決めることにより、切欠き部の施工位置によるパネル強度の低下や、加工精度の低下なども防止できる。
【図面の簡単な説明】
【００１３】
【図１】本発明の床構造の一形態を例示する平面図である。
【図２】図１のＡ−Ａ断面図である。
【図３】図１の切欠きパネルを拡大して示す平面図である。
【図４】（ａ）は床パネルの寸法が水平モジュールの１／３倍に設定された床構造を示す拡大図、（ｂ）は床パネルの寸法が水平モジュールの１／４倍に設定された床構造を示す拡大図である。
【図５】他の実施形態の床構造を示す平面図である。
【図６】さらに他の実施形態の床構造を示す平面図である。
【図７】（ａ）は従来の工業化住宅のシングルグリッド設計の代表的な床構造の平面図、（ｂ）はそのＡ−Ａ断面図である。
【発明を実施するための形態】
【００１４】
以下、本発明の実施の一形態が図面に基づき説明される。
図１及び図２には、本実施形態の工業化住宅の一階部分の床構造を示す。該工業化住宅では、水平モジュールＭの整数倍の柱間距離Ｄ１で立設された複数本の柱３を含む構造体を有する。他方、床構造は、前記柱３が立設された柱通り６に、前記水平モジュールＭのｎ倍又は１／ｎ倍（ただし、ｎは１以上の整数）の寸法Ｅ１を有する複数の床パネル５が床支持材２上に敷設される。
【００１５】
本実施形態の水平モジュールＭは、９００mmに設定されるが、この寸法に限定されるものではない。工業化住宅では、外壁パネルや屋根パネル等を水平モジュールＭのｎ倍又は１／ｎ倍（ただし、ｎは１以上の整数）として規格化することにより各部材を標準化することができる。なお、図１において、左右にのびる柱通り６の寸法Ｌ１は、例えば水平モジュールＭの４倍（４Ｐ）に設定されている。
【００１６】
前記柱３には、例えば断面角パイプ状の鋼材が用いられ、その底部は、例えば取付金具を介して基礎Ｆのアンカーボルト等に固着される。そして、柱３、３間には、例えば工場等で製造された外壁パネル（図示せず）が固着される。
【００１７】
本実施形態の床支持材２は、基礎Ｆの上面に沿って配された土台１３と、土間コンクリート１５上に束材１６を介して支持された水平方向にのびる大引１４とを含む。これらは、床パネル５の底部を支持し、該床パネル５と釘又はボルト等にて固定される。土台１３は、図１において左右にのびる第１の土台１３Ａと、該第１の土台１３Ａと直交する向きにのびる第２の土台１３Ｂとを含む。
【００１８】
本実施形態の床パネル５は、例えば、予め工場で製造されたもので、根太等の枠材と、その上面に固着された例えば木質材、合板又はコンクリートパネル等の面材とから構成される。また、床パネル５は、後述の切欠き部８を除き、同一の輪郭形状、本実施形態では平面視略矩形状に形成される。
【００１９】
また、床パネル５は、前記柱通り６に沿った寸法Ｅ１が、水平モジュールＭのｎ倍又は１／ｎ倍（ただし、ｎは１以上の整数）に設定される。本実施形態では、前記寸法Ｅ１は、水平モジュールＭの１／２倍に設定されている。従って、床パネル５は、前記柱通り６上において、隣り合う柱３、３間に２枚、合計８枚敷設される。
【００２０】
さらに、床パネル５には、柱３との干渉を防ぐ切欠き部８を有する切欠きパネル７が含まれる。これにより、床パネル５は、柱３を除く実質的な床面全域Ｔに敷設される。なお、床面全域Ｔとは、第１、第２の土台１３Ａ、１３Ｂの長手方向に沿って各柱３の中心３ｃを結んで囲まれる領域とする。
【００２１】
本実施形態の床パネル５は、図３に拡大して示されるように、前記柱通り６上において、一端側（この例では右側）に切欠き部８ａを有する第１の切欠きパネル７Ａと、他端側（この例では左側）に切欠き部８ｂを有する第２の切欠きパネル７Ｂの２種類のみからなる。
【００２２】
このように、本実施形態の床構造は、柱３と床パネル５とが、同一の水平モジュールＭを基準に設計されるので、該切欠きパネル７の切欠き部８の位置が上述のように２種類に標準化される。これにより、床パネル５の種類数を減らして生産性や施工性を大幅に向上しうる。また、本実施形態のように、床パネル５の柱通り６に沿った寸法Ｅ１を適切に決めることにより、切欠き部８の施工位置によるパネル強度の低下や、加工精度の低下なども防止できる。また、各切欠きパネル７の切欠き部８ａ、８ｂは、一端側又は他端側で、それぞれ入隅状に形成されるので、一辺の中間部で凹状に形成される切欠き部と比べて、加工性及び加工精度を向上しうる。
【００２３】
図４（ａ）には、柱通り６に沿った床パネル５の寸法Ｅ１が、柱間距離Ｄ１の１／３倍に設定された床構造が示される。また、図４（ｂ）には、前記寸法Ｅ１が柱間距離Ｄ１の１／４倍に設定された床パネル５が敷設された床構造が示される。いずれの床パネル５も、第１の切欠きパネル７Ａ、第２の切欠きパネル７Ｂ、及び切欠き部８を有しない切欠き無しパネル１０の３種類に標準化することができる。
【００２４】
図５には、本発明の床構造の他の実施形態の平面図が示される。
この実施形態において、構造体は、柱３が異なる柱間距離Ｄ２及びＤ３で立設された柱通り６を有する。柱間距離Ｄ２は水平モジュールＭの１倍、柱間距離Ｄ３は水平モジュールＭの２倍に設定されている。
【００２５】
また、床パネル５は、柱通り６に沿った寸法Ｅ２が、最小の柱間距離（即ち、柱間距離Ｄ２）の１／２倍に設定される。つまり、寸法Ｅ２は、水平モジュールＭの１／２倍に相当する。他方、この実施形態において、床パネル５の前記寸法Ｅ２と直角方向の寸法Ｅ３は、水平モジュールＭの２倍で構成されている。これにより、床パネル５は、前記柱通り６において各６枚、床面全域に合計１２枚敷設される。
【００２６】
また、床パネル５としては、第１の切欠きパネル７Ａ、第２の切欠きパネル７Ｂ及び切欠き無しパネル１０の３種類のみが配される。このように、本実施形態の床構造は、構造体に、柱３が異なる柱間距離Ｄ２、Ｄ３で立設された柱通り６を有しても、床パネル５の柱通り上の寸法を最適化することにより、３種類の床パネル５のみで床面全域Ｔに敷設でき、床パネル５の種類数の増加を抑制しうる。
【００２７】
図６には、さらに本発明の他の実施形態の平面図が示される。
この実施形態においては、図５の実施形態とほぼ同様であるが、柱通り６と直角な柱通り１７においても、異なる柱間距離Ｄ２及びＤ４で柱３が立設されている。この実施形態では、柱通り１７において、柱間距離Ｄ２は水平モジュールＭの１倍、柱間距離Ｄ４は水平モジュールＭの３倍に設定されている。
【００２８】
このような実施形態の場合、例えば、図において右上及び左下に配される第１の切欠きパネル７Ａの長辺の中間位置に、柱３との干渉を防ぐ切欠き部１２を形成するだけで敷設できるので、床パネル５の種類数を４に抑えることができる。
【００２９】
以上、本発明の特に好ましい実施形態について詳述したが、本発明は図示の実施形態に限定されることなく、種々の態様に変形して実施しうる。例えば２階、３階等の床構造にも勿論適用することができる。この場合、床支持材２には床梁などが含まれる。
【符号の説明】
【００３０】
３    柱
５    床パネル
６    柱通り
７    切欠きパネル
８    切欠き部
【図１】
2010265650.tif 000003
【図２】
2010265650.tif 000004
【図３】
2010265650.tif 000005
【図４】
2010265650.tif 000006
【図５】
2010265650.tif 000007
【図６】
2010265650.tif 000008
【図７】
2010265650.tif 000009